(57)【特許請求の範囲】
【請求項１】
ヒンジ部を電源入力部と負荷出力部との間に回動自在に介在設置し、前記電源入力部と前記負荷出力部との間を接続する電線を、前記ヒンジ部の回転軸の周りに略沿わせて設けた電気器具において、前記ヒンジ部は、前記電線が外部に臨んで露出する開口部を有するものであり、前記電線が前記開口部外へ突出しないように、前記電線に張力を加える付勢手段を設け、前記付勢手段は前記電源入力部または前記負荷出力部の電線挿通部分の摩擦抵抗に打ち勝って前記ヒンジ部付近の前記電線がたるまないように前記電線を引っ張るものである電気器具。
【請求項２】
付勢手段は、電線を挿通するコイルばねであり、このコイルばねの一端を前記電線に固定し、他端が電源入力部もしくは負荷出力部の外殻に位置決めされる請求項１記載の電気器具。
【請求項３】
付勢手段は、電線の少なくとも一部を構成するカールコードである請求項１記載の電気器具。
【請求項４】
負荷出力部に光源を備えた照明器具である請求項１，２または３記載の電気器具。
【発明の詳細な説明】
【０００１】
【発明の属する技術分野】
この発明は、ヒンジ部を有し、それに電線を沿わせた電気器具に関するものである。
【０００２】
【従来の技術】
従来、この種の電気器具として図８に示す照明器具（従来例１）がある。この従来例では、図８（ｂ）のようにヒンジ部５０は電源入力部（図示せず）と負荷出力部である灯具部５２との間に回動自在に設けられ、ヒンジ部５０に沿って電線５３が配置されている。この場合、図８（ａ）のように電線５３を覆いかぶせてヒンジ部５０が構成されているため、ヒンジ部５０が大きくなる。
【０００３】
また、別の従来例として図９に示す照明器具（従来例２）がある。この従来例では、電線５３がヒンジ部５０から離れており、灯具部５２の可動時に自由にたるむ構造である。この場合、ヒンジ部５０は、電源入力部５１のアーム５１ａと灯具部５２との間に回動自在に設けられ、アーム５１ａと灯具部５２間で電線５３にたるんだ部分が生じる。
【０００４】
【発明が解決しようとする課題】
上記従来例１のように、ヒンジ部５０により電線５３を覆いかぶせると、電線５３は露出しないがヒンジ部５０が大型化するという問題がある。
【０００５】
また、従来例２のように、電線５３をヒンジ部５０から離れて配置すると、ヒンジ部５０の小型化を図ることができるが、電線５３にたるんだ部分が生じることで、意匠性の低下するなどの問題が生じる。
【０００６】
特に、図１０に示すように、ヒンジ部５０の可動範囲が大きいもの（真下から前後に動くもの）で、そのヒンジ部５０をできるだけ目立たなく、コンパクトにするため、電線がそのヒンジ部５０に沿っているが、それを覆うカバーがなく、電線が露出しているものが提案されている。この場合、可動時に電線がたるむと、電源入力部５１のアーム５１ａと灯具部５２との間で電線がかみ、ヒンジ部５０に常に沿った状態で可動することができかった。
【０００７】
したがって、この発明の目的は、ヒンジ部の小型化を図り、電線がたるんで意匠性が低下することなく、また電線をヒンジ部に沿わせてもヒンジ部の可動時に電線がかむことがない電気器具を提供することである。
【０００８】
【課題を解決するための手段】
上記課題を解決するためにこの発明の請求項１記載の電気器具は、ヒンジ部を電源入力部と負荷出力部との間に回動自在に介在設置し、前記電源入力部と前記負荷出力部との間を接続する電線を、前記ヒンジ部の回転軸の周りに略沿わせて設けた電気器具において、前記ヒンジ部は、前記電線が外部に臨んで露出する開口部を有するものであり、前記電線が前記開口部外へ突出しないように、前記電線に張力を加える付勢手段を設け、前記付勢手段は前記電源入力部または前記負荷出力部の電線挿通部分の摩擦抵抗に打ち勝って前記ヒンジ部付近の前記電線がたるまないように前記電線を引っ張るものである。
【０００９】
このように、ヒンジ部は、電線が外部に臨んで露出する開口部を有し、電線が開口部外へ突出しないように、電線に張力を加える付勢手段を設けたので、ヒンジ部は電線を覆うカバーがなくコンパクトに構成でき、電線がたるんで浮き上がったり、電線がかんだりしない。すなわち、電線がヒンジ部の回転軸の周りに略沿わせるのと反対側にヒンジ部を可動させたとき、電線がたるむのを防ぐように、付勢手段により電線が引っ張られ、電線がヒンジ部の周辺部材でかむことを防止できる。
【００１０】
請求項２記載の電気器具は、請求項１記載の電気器具において、付勢手段は、電線を挿通するコイルばねであり、このコイルばねの一端を前記電線に固定し、他端が電源入力部もしくは負荷出力部の外殻に位置決めされる。このように、付勢手段は、電線を挿通するコイルばねであり、一端を電線に固定し、他端が電源入力部もしくは負荷出力部の外殻に位置決めされるので、ヒンジ部の回動により電線がたるむ際、コイルばねの弾性により、電線に引き上げる力がかかる。
【００１１】
請求項３記載の電気器具は、請求項１記載の電気器具において、付勢手段は、電線の少なくとも一部を構成するカールコードである。このように、付勢手段は、電線の少なくとも一部を構成するカールコードであるので、ヒンジ部の回動により電線がたるむ際、カールコードの弾性により、電線を引き上げることができる。また、別にばね等の部材を設ける必要がないので、その設置スペースが不要となる。
【００１２】
請求項４記載の電気器具は、請求項１，２または３記載の電気器具において、負荷出力部に光源を備えた照明器具である。このように、負荷出力部に光源を備えた照明器具であるので、ヒンジ部を回動させて光源の照射方向を変えても上記の作用効果が得られる。
【００１３】
【発明の実施の形態】
この発明の第１の実施の形態を図１ないし図４に基づいて説明する。図１（ａ）はこの発明の第１の実施の形態の電気器具の要部断面図、（ｂ）は平面図、図２はこの発明の第１の実施の形態の電気器具の全体斜視図である。
【００１４】
図１および図２に示すように、この電気器具は、ヒンジ部１を電源入力部２と負荷出力部３との間に回動自在に介在設置し、電源入力部２と負荷出力部３との間を接続する電線４を、ヒンジ部１の回転軸５の周りに略沿わせて設けている。電源入力部２には、天井等の取付板６に取付けられ電線４を収納するスペース７ａを有するフランジ部７を設けている。また、負荷出力部（灯具部）３は光源８を備えることで照明器具を構成している。
【００１５】
この場合、照明器具はＬＥＤ照明器具であり、比較的コンパクトの器具でヒンジ部１も同様にコンパクトである。また、スポットライトのようにヒンジ部１の可動範囲が大きいもの（真下から前後に動くもの）で、そのヒンジ部１をできるだけ目立たなく、コンパクトにするため、電線４がそのヒンジ部１に沿っているが、それを覆うカバーがなく、電線４が露出している。また、灯具部３から、電線４により導通をとって、その電線４がヒンジ部１、パイプ状のアーム部９（長さは図示の他、ロングアームもある）、フランジ部７を通って電源入力部２側に口出しとして出している。
【００１６】
ヒンジ部１は、図１に示すように、電線４が外部に臨んで露出する開口部１０を有し、電線４が開口部１０外へ突出しないように、電線４に張力を加える付勢手段を設けている。この付勢手段は、電線４を挿通するコイルばね１１であり、このコイルばね１１の一端を電線４に固定し、他端が電源入力部２もしくは負荷出力部３の外殻に位置決めされる。
【００１７】
コイルばね１１は圧縮コイルばねであり、フランジ部７で電線４にコイルばね１１を被せ、一端を電線４に固定し、他端をフランジ部７内の部材に押し当てるかもしくは固定する。また、コイルばね１１の一端に係止して張力止めを行う張力止め金具１２がフランジ部７にビス１３で取付けられている。取付時には、ヒンジ部１を、少なくとも真下（アーム部９の延長方向）以上、電線４をヒンジ部１に沿わせるのと逆方向に可動させたときに、ばねの弾性が作用するように設ける。すなわち、図３に示すように、灯具部３を９０°振った状態で電線４が突っ張り、たるみのないように灯具部３の溝１４に押し込む。次に灯具部３を反対側に６５°振った状態で灯具部３の配線を行う。次にコイルばね１１を約５ｍｍ縮めた状態で張力止め金具１２をビス１３で締める。また、灯具部３側では、電線４が動かないように張力止めする。
【００１８】
電線４とコイルばね１１の動作状態では、図４（ａ）に示すように、電線４をヒンジ部１に沿わせる方向に灯具部３を動かした時に、ヒンジ部１で電線４は引っ張られ、コイルばね１１は縮まっている。次に（ｂ）の状態に灯具部３を動かした時に、ヒンジ部１が逆方向に可動し、電線４がたるむのを防ぐように、縮まっていたコイルばね１１が元の状態に戻り電線４を引き上げる。この際、電線４に働く摩擦よりも大きい力がアーム部９およびフランジ部７の方向にコイルばね１１の弾性によりかかる。
【００１９】
電線４は、低電圧のため、よりコンパクト化の実現に有効な細い線の０．２ｍｍのキャブタイヤケーブルを使用しているが、電圧により電線仕様が変わっても同様にヒンジ部１のコンパクト化を図ることができる。電線４をヒンジ部１に沿わす側は回転軸５の両側のどちらの側でもよい。
【００２０】
また、フランジ部７側にコイルばね１１を設けているが、フランジ部７側を電線固定で、灯具部３内で同様に電線４にコイルばね１１を付けて構成してもよく、照明器具の形態によっては有効である。また、電線４とコイルばね１１を固定して、コイルばね１１のもう一端が器具と突っ張る形態であれば、その電線４は器具に対してフリーでもかまわない。
【００２１】
以上のようにこの実施の形態によれば、ヒンジ部１は電線４を覆うカバーがなくコンパクトに構成でき、電線４がたるんで浮き上がったり、電線４がかんだりしない。すなわち、電線４がヒンジ部１の回転軸５の周りに略沿わせるのと反対側にヒンジ部１を可動させたとき、電線４がたるむのを防ぐように、コイルばね１１により電線４が引っ張られ、電線４がヒンジ部１の周辺部材でかむことを防止できる。
【００２２】
また、操作がスムーズかつ適切にできる。すなわち、最も電線４がヒンジ部１で引っ張られた状態から、動かし始めの可動時に電線４がたるみを生じる状態のときにコイルばね１１の弾性が大きくなる。灯具部３が自然にアーム部９側に持ち上げられる状態まで可動してからは、ばねの弾性も弱くなり、操作力が安定した状態で調整できる。なお、コイルばね１１は引張りばねを用いることも可能である。
【００２３】
この発明の第２の実施の形態を図５に基づいて説明する。図５はこの発明の第２の実施の形態の電気器具の要部断面図である。
【００２４】
この実施の形態では、第１の実施の形態において、付勢手段としてコイルばねの代わりに板ばね２０を設けている。板ばね２０は一端を電線４を持ち上げ可能に当接させ、他端がフランジ部７に固定されている。この場合、アーム部９を通った電線４が、フランジ部７の案内部２１に案内されることでアーム部９の軸に対して略直角に曲げられ、その部分に板ばね２０の一端を当接させて電線４に張力を加えている。その他の構成は、第１の実施の形態と同様である。
【００２５】
電線４と板ばね２０の動作状態では、第１の実施の形態の図４（ａ）に示すように、電線４をヒンジ部１に沿わせる方向に灯具部３を動かした時に、ヒンジ部１で電線４は引っ張られ、板ばね２０は図５の二点鎖線で示すように縮まっている。次に図４（ｂ）の状態に灯具部３を動かした時に、ヒンジ部１が逆方向に可動し、電線４がたるむのを防ぐように、縮まっていた板ばね２０が元の状態に戻り電線４を引き上げる。この際、電線４に働く摩擦よりも大きい力がアーム部９およびフランジ部７の方向に板ばね２０の弾性によりかかる。
【００２６】
以上のようにこの実施の形態では、板ばね２０で電線４に張力をかけることで、第１の実施の形態と同様の作用効果が得られる。
【００２７】
この発明の第３の実施の形態を図６に基づいて説明する。図６（ａ）はこの発明の第３の実施の形態の電気器具の要部断面図、（ｂ）はその動作状態の要部断面図である。
【００２８】
この実施の形態では、第１の実施の形態において、付勢手段として設けたコイルばね２２の構成が異なる。すなわち、第１の実施の形態ではコイルばね１１に電線４を通し、直接ばねを電線４に固定しているが、図６に示すように、電線４に別の部材（押え板２３）を固定してあり、その押え板２３にコイルばね２２で弾性を与える。この場合、コイルばね２２は、フランジ部７のスペース７ａにアーム部９と略同軸方向に配置された圧縮コイルばねである。また、コイルばね２２により付勢された押え板２３は、フランジ部７に設けたストッパ２４に当接して張力止めされる。その他の構成は、第１の実施の形態と同様である。
【００２９】
電線４とコイルばね２２の動作状態では、第１の実施の形態の図４（ａ）に示すように、電線４をヒンジ部１に沿わせる方向に灯具部３を動かした時に、ヒンジ部１で電線４は引っ張られ、コイルばね２２は押え板２３により押されて図６（ｂ）のように縮まっている。次に図４（ｂ）の状態に灯具部３を動かした時に、ヒンジ部１が逆方向に可動し、電線４がたるむのを防ぐように、図６（ａ）のように縮まっていたコイルばね２２が元の状態に戻り押え板２３とともに電線４を引き上げる。この際、電線４に働く摩擦よりも大きい力がアーム部９およびフランジ部７の方向にコイルばね２２の弾性によりかかる。
【００３０】
以上のようにこの実施の形態によれば、電線４に固定した押え板２３にコイルばね２２で弾性を与えることで第１の実施の形態と同様の作用効果が得られる。なお、付勢手段は圧縮コイルばねで構成したが、押え板に板ばねで圧力をかけてもよい。
【００３１】
この発明の第４の実施の形態を図７に基づいて説明する。図７はこの発明の第４の実施の形態の電気器具の概略正面図である。
【００３２】
この実施の形態では、付勢手段は、電線４の少なくとも一部を構成するカールコード４ａである。すなわち、第１の実施の形態のフランジ部７でコイルばね１１によって引き上げているものを、アーム部９でカールコード４ａで引き上げる構成とした。アーム部９はカールコード４ａを収納するスペースが必要で径が大きくなるが、フランジ部７などには特別なスペースは不要となる。
【００３３】
付勢手段の動作状態では、電線４をヒンジ部１に沿わせる方向に灯具部３を動かした時に（例えば位置Ａ）、ヒンジ部１で電線４は引っ張られ、カールコード４ａは伸びる。次に位置Ｂの状態に灯具部３を動かした時に、ヒンジ部１が逆方向に可動し、電線４がたるむのを防ぐように、伸びていたカールコード４ａが縮まり電線４を引き上げる。この際、電線４に働く摩擦よりも大きい力がアーム部９の方向にカールコード４ａの弾性によりかかる。
【００３４】
以上のようにこの実施の形態によれば、カールコード４ａにより弾性を与えることで第１の実施の形態と同様の作用効果が得られる。また、別にばね等の部材を設ける必要がないので、その設置スペースが不要となる。
【００３５】
なお、電気器具はヒンジ部に電線を沿わせたものであれば、照明器具でなくてもよい。
【００３６】
【発明の効果】
この発明の請求項１記載の電気器具によれば、ヒンジ部は、電線が外部に臨んで露出する開口部を有し、電線が開口部外へ突出しないように、電線に張力を加える付勢手段を設けたので、ヒンジ部は電線を覆うカバーがなくコンパクトに構成でき、電線がたるんで浮き上がったり、電線がかんだりしない。すなわち、電線がヒンジ部の回転軸の周りに略沿わせるのと反対側にヒンジ部を可動させたとき、電線がたるむのを防ぐように、付勢手段により電線が引っ張られ、電線がヒンジ部の周辺部材でかむことを防止できる。
【００３７】
請求項２では、付勢手段は、電線を挿通するコイルばねであり、このコイルばねの一端を電線に固定し、他端が電源入力部もしくは負荷出力部の外殻に位置決めされるので、ヒンジ部の回動により電線がたるむ際、コイルばねの弾性により、電線に引き上げる力がかかる。
【００３８】
請求項３では、付勢手段は、電線の少なくとも一部を構成するカールコードであるので、ヒンジ部の回動により電線がたるむ際、カールコードの弾性により、電線を引き上げることができる。また、別にばね等の部材を設ける必要がないので、その設置スペースが不要となる。
【００３９】
請求項４では、負荷出力部に光源を備えた照明器具であるので、ヒンジ部を回動させて光源の照射方向を変えても上記の作用効果が得られる。
【図面の簡単な説明】
【図１】（ａ）はこの発明の第１の実施の形態の電気器具の要部断面図、（ｂ）は平面図である。
【図２】この発明の第１の実施の形態の電気器具の全体斜視図である。
【図３】この発明の第１の実施の形態の電気器具の取付説明図である。
【図４】この発明の第１の実施の形態の電気器具の動作説明図である。
【図５】この発明の第２の実施の形態の電気器具の要部断面図である。
【図６】（ａ）はこの発明の第３の実施の形態の電気器具の要部断面図、（ｂ）はその動作状態の要部断面図である。
【図７】この発明の第４の実施の形態の電気器具の概略正面図である。
【図８】（ａ）は従来例１の斜視図、（ｂ）は要部破断斜視図である。
【図９】従来例２の斜視図である。
【図１０】さらに別の従来例の説明図である。
【符号の説明】
１  ヒンジ部
２  電源入力部
３  灯具部（負荷出力部）
４  電線
５  回転軸
７  フランジ部
８  光源
１０  開口部
１１，２２  コイルばね（付勢手段）
２０  板ばね（付勢手段）
【図１】
0004066695.tif 000002
【図２】
0004066695.tif 000003
【図３】
0004066695.tif 000004
【図４】
0004066695.tif 000005
【図５】
0004066695.tif 000006
【図６】
0004066695.tif 000007
【図７】
0004066695.tif 000008
【図８】
0004066695.tif 000009
【図９】
0004066695.tif 000010
【図１０】
0004066695.tif 000011